(57)【特許請求の範囲】
【請求項１】
ヒータによって加熱されるベースと、前記ヒータへの通電を制御して前記ベースを任意の温度に調節するサーモスタットと、前記サーモスタットによって調節されるベースの温度を設定する温度調節ツマミ装置とを具備し、前記温度調節ツマミ装置は、前記サーモスタットの軸部を回動させる回動部と、前記回動部の外周部に回動自在に設けた操作部と、前記操作部を前記回動部から離れる方向へ付勢する付勢体と、前記操作部を前記回動部側へ変位させることにより前記操作部を前記回動部に連係させ、前記操作部の動作を前記回動部に伝達するクラッチ装置を有したアイロン。
【請求項２】
クラッチ装置は、回動部と操作部の両方の外周部に対向して設けた凹凸形状の係合部により構成した請求項１記載のアイロン。
【請求項３】
クラッチ装置は、回動部と操作部の両方の外周部に対向して設けた高摩擦抵抗体により構成した請求項１記載のアイロン。
【請求項４】
温度調節ツマミ装置は、クリック部と前記クリック部に対向して配設したバネ体を有し、操作部を回動部に連係させて回動操作したときに、前記クリック部とバネ体が接触するようにした請求項１〜３のいずれか１項に記載のアイロン。
【請求項５】
温度調節ツマミ装置は、操作部の上方に表示体を設け、前記表示体を回動部とともに回動するように前記回動部に連係させた請求項１〜４のいずれか１項に記載のアイロン。
【請求項６】
温度調節ツマミ装置は、操作部をその下方に配設した回動部側へ変位させることにより、クラッチ装置を介して回動部と連係させるようにした請求項１〜５のいずれか１項に記載のアイロン。
【請求項７】
温度調節ツマミ装置は、操作部の外周縁部の上面を外方へ広がるにつれて低くなるように傾斜させた請求項６記載のアイロン。
【請求項８】
温度調節ツマミ装置は、回動部の上面に表示部を設けるとともに操作部を透明体で構成し、前記操作部を透かして外部から前記表示部を視認可能に構成した請求項１〜４のいずれか１項に記載のアイロン。
【請求項９】
温度調節ツマミ装置は、操作部をその上方に配設した回動部側へ変位させることにより、クラッチ装置を介して回動部と連係させるようにした請求項１〜５のいずれか１項に記載のアイロン。
【請求項１０】
温度調節ツマミ装置は、操作部の外周縁部の下面を外方へ広がるにつれて高くなるように傾斜させた請求項９記載のアイロン。
【発明の詳細な説明】
【０００１】
【発明の属する技術分野】
本発明は衣類等のしわ伸ばしを行なうアイロンに関するものである。
【０００２】
【従来の技術】
従来、この種のアイロンは図９に示すように構成されていた。以下その構成について説明する。１はベース２を加熱するヒータ、３は前記ヒータ１への通電を制御して前記ベース２を任意の温度に調節するサーモスタット、４はベース２の上面側を覆うベースカバー、５は上部に握り部６を形成した把手体で、前記ベースカバー４とで水タンク７を構成している。
【０００３】
握り部６の下方には、温度調節を行なうためにサーモスタット３の軸部８に挿入した温度調節ツマミ９を回動自在に配設している。上記温度調節ツマミ９はその外周部を掴んで回動させるように操作するため、温度調節ツマミ９の直径は、その上方に位置している握り部６の幅より大きくなるように構成していた。
【０００４】
【発明が解決しようとする課題】
しかしながら、このような従来の構成では、アイロン掛けを行う衣類に適した温度に調節するために温度調節ツマミ９を回動させるが、操作荷重が大きければ操作性が悪く、使いにくいものとなる。逆に、操作荷重が小さければ、アイロン掛け時に手等が温度調節ツマミ９に触れると、容易に回動して設定温度が不用意変わる恐れがあり、衣類を傷めたり、しわ伸ばし効果が悪くなるという問題があった。
【０００５】
本発明は、上記課題を解決するもので、温度調節が容易で、かつ、確実に行なうとともに、設定温度が不用意に変わるのを防止することを目的としている。
【０００６】
【課題を解決するための手段】
本発明は上記目的を達成するために、サーモスタットの軸部を回動させる回動部と、前記回動部の外周部に回動自在に設けた操作部と、前記操作部を前記回動部から離れる方向へ付勢する付勢体と、前記操作部を前記回動部側へ変位させることにより前記操作部を前記回動部に連係させ、前記操作部の動作を前記回動部に伝達するクラッチ装置を設けたものである。
【０００７】
これにより、温度調節が容易で、かつ、確実に行なうとともに、設定温度が不用意に変わるのを防止するようにしている。
【０００８】
【発明の実施の形態】
本発明の請求項１に記載の発明は、ヒータによって加熱されるベースと、前記ヒータへの通電を制御して前記ベースを任意の温度に調節するサーモスタットと、前記サーモスタットによって調節されるベースの温度を設定する温度調節ツマミ装置とを具備し、前記温度調節ツマミ装置は、前記サーモスタットの軸部を回動させる回動部と、前記回動部の外周部に回動自在に設けた操作部と、前記操作部を前記回動部から離れる方向へ付勢する付勢体と、前記操作部を前記回動部側へ変位させることにより前記操作部を前記回動部に連係させ、前記操作部の動作を前記回動部に伝達するクラッチ装置を有したものであり、これにより温度調節を容易に、かつ、確実に行なうことができるとともに、アイロン掛け作業中に設定温度が不用意に変わるのを防止することができる。
【０００９】
請求項２に記載の発明は、上記請求項１に記載の発明において、クラッチ装置は、回動部と操作部の両方の外周部に対向して設けた凹凸形状の係合部により構成したものであり、操作部の動作を確実に回動部に伝達して、サーモスタットの軸部を駆動することができる。
【００１０】
請求項３に記載の発明は、上記請求項１に記載の発明において、クラッチ装置は、回動部と操作部の両方の外周部に対向して設けた高摩擦抵抗体により構成したものであり、操作部の動作を確実に回動部に伝達して、サーモスタットの軸部を駆動することができる。
【００１１】
請求項４に記載の発明は、上記請求項１〜３に記載の発明において、温度調節ツマミ装置は、クリック部と前記クリック部に対向して配設したバネ体を有し、操作部を回動部に連係させて回動操作したときに、前記クリック部とバネ体が接触するようにしたものであり、操作時に温度設定が行われていることを容易に確認することができるとともに、任意の温度に保持することができる。
【００１２】
請求項５に記載の発明は、上記請求項１〜４に記載の発明において、温度調節ツマミ装置は、操作部の上方に表示体を設け、前記表示体を回動部とともに回動するように前記回動部に連係させたものであり、設定温度の確認を容易に行うことができるとともに、所望の温度に確実に調節することができる。
【００１３】
請求項６に記載の発明は、上記請求項１〜５に記載の発明において、温度調節ツマミ装置は、操作部をその下方に配設した回動部側へ変位させることにより、クラッチ装置を介して回動部と連係させるようにしたものであり、温度設定時の操作性をよくすることができる。
【００１４】
請求項７に記載の発明は、上記請求項６に記載の発明において、温度調節ツマミ装置は、操作部の外周縁部の上面を外方へ広がるにつれて低くなるように傾斜させたものであり、温度設定時の操作性をよくすることができる。
【００１５】
請求項８に記載の発明は、上記請求項１〜４に記載の発明において、温度調節ツマミ装置は、回動部の上面に表示部を設けるとともに操作部を透明体で構成し、前記操作部を透かして外部から前記表示部を視認可能に構成したものであり、設定温度の確認を容易に行うことができるとともに、所望の温度に確実に調節することができる。
【００１６】
請求項９に記載の発明は、上記請求項１〜５に記載の発明において、温度調節ツマミ装置は、操作部をその上方に配設した回動部側へ変位させることにより、クラッチ装置を介して回動部と連係させるようにしたものであり、アイロン掛け作業中に設定温度が不用意に変わるのを防止することができる。
【００１７】
請求項１０に記載の発明は、上記請求項９に記載の発明において、温度調節ツマミ装置は、操作部の外周縁部の下面を外方へ広がるにつれて高くなるように傾斜させたものであり、温度設定時の操作性をよくすることができる。
【００１８】
【実施例】
以下、本発明の実施例について、図面を参照して説明する。
【００１９】
（実施例１）
図１〜図４に示すように、１０はヒータ１１によって加熱されるベース、１２はヒータ１１への通電を制御してベース１０を任意の温度に調節するサーモスタットでベース１０に固着している。１３はベース１０の上面側を覆うカバーで、その上方に握り部１４を形成した把手１５を設けている。１６はサーモスタット１２によって調節されるベース１０の温度を設定する温度調節ツマミ装置で、握り部１４の下方に配設している。
【００２０】
温度調節ツマミ装置１６は、サーモスタット１２の回動自在な軸部１７を回動させる回動部１８と、この回動部１８の外周部に回動自在に設けた操作部１９と、この操作部１９を回動部１８から離れる方向へ付勢する付勢体２０と、前記操作部１９を回動部１８側へ変位させることにより、操作部１９を回動部１８に連係させて、操作部１９の動作を回動部１８に伝達するクラッチ装置２１を有している。
【００２１】
クラッチ装置２１は、回動部１８と操作部１９の両方の外周部に対向して環状に設けた凹凸形状の係合部により構成してあり、付勢体２０の付勢力に抗して操作部１９をその下方に配設した回動部１８側へ変位させることにより、双方に形成した凹凸形状の係合部が嵌合することによって一体的に結合され、操作部１９の回動動作が回動部１８に伝達され、サーモスタット１２の軸部１７を回動させることができる。
【００２２】
操作部１９の直径Ｄは、その上方に位置している握り部１４の幅Ｗより大きくなるように構成するとともに、操作部１９の外周縁部の上面は、外方へ広がるにつれて低くなるように多数の突起２２を設けて傾斜させてあり、回動部１８側へ変位させる操作が容易に行えるようにしている。
【００２３】
２３は操作部１９の外周部の下面に設けたクリック部で、連続した凹凸形状で構成している。２４はこのクリック部２３に対向して把手１５に設けたバネ体で、細い線を曲げて形成してあり、操作部１９を回動部１８に連係させて回動操作したときに、クリック部２３とバネ体２４が接触するようにしている。そして、操作部１９を回動させることによってクリック部２３の凹凸形状を乗り越えて操作部１９を任意の位置に弾性保持する。
【００２４】
２５は操作部１９の上方に設けた表示体で、設定可能な温度目盛、または任意の繊維目盛等を表示するもので、回動部１８とともに回動するように前記回動部１８に取付けている。
【００２５】
上記構成において動作を説明すると、アイロン掛けをする場合に使用者はアイロン掛けをする衣類に合わせた温度に設定するために、アイロン本体に設けた温度調節ツマミ装置１６を回動させる。その場合、温度調節ツマミ装置１６の操作部１９を付勢体２０の付勢力に抗して回動部１８側に下方へ押し下げると、凹凸形状の係合部により構成したクラッチ装置２１により、回動部１８と操作部１９は、両方の外周部に対向して双方に形成した凹凸形状の係合部が嵌して一体的に結合され、操作部１９の回動動作が回動部１８に伝達され、回動部１８は表示体２５とともにサーモスタット１２の軸部１７を回動させることができる。
【００２６】
操作部１９を回動部１８に連係させて回動操作したときは、クリック部２３とバネ体２４が接触するようにしているため、操作部１９を回動させることによってバネ体２４がクリック部２３の凹凸形状を乗り越えるときに、クリック音を発するとともに、操作部１９を任意の位置に弾性保持する。
【００２７】
そして、表示体２５により希望する位置まで回動部１８を回動させた後、操作部１９から手を離すと付勢体２０によってクラッチ装置２１が切り離される。この状態では操作部１９は回動部１８から切り離された状態で、サーモスタット１２の軸部１７を回動させることなく、自由に回動する。したがって、アイロン掛け作業中に不用意に手等が操作部１９に触れても回動部１８まで力が及ばず、誤操作を防止することができるものである。
【００２８】
（実施例２）
図５に示すように、回動部１８と操作部１９の両方の外周部に対向して環状に設けたゴム等の高摩擦抵抗体２６によりクラッチ装置２１を構成したものである。他の構成は実施例１と同じである。
【００２９】
上記構成によれば、操作部１９を付勢体２０の付勢力に抗して回動部１８側に下方へ押し下げることにより、操作部１９の動作を確実に回動部１８に伝達して、サーモスタット１２の軸部１７を駆動することができる。
【００３０】
（実施例３）
図６に示すように、回動部１８の上面に表示部（図示せず）を設けるとともに、操作部２７を透明体で構成し、この操作部２７を透かして外部から前記表示部を視認可能に構成したものである。他の構成は実施例１と同じである。
【００３１】
上記構成によれば、簡単な構成で設定温度の確認を容易に行うことができるとともに、所望の温度に確実に調節することができる。
【００３２】
（実施例４）
図７および図８に示すように、操作部２８をその上方に配設した回動部２９に取付けた表示体３１側に上方へ変位させることにより、操作部２８と表示体３０とで構成したクラッチ装置２１を介して回動部２９と連係させるとともに、操作部２８の外周縁部の下面を外方へ広がるにつれて高くなるように多数の突起３１を設けて傾斜させたものである。また、クリック部２３は表示体３１に形成している。他の構成は実施例１と同じである。
【００３３】
上記構成によれば、アイロン掛け作業中に不用意に操作部２８の外周部に触れて押圧力が加わった場合でも、操作部２８は表示体３０から離れる方向であるため、回動部２９と連結される恐れがなく、設定温度が不用意に変わるのを防止することができるとともに、温度設定時の操作性をよくすることができる。
【００３４】
【発明の効果】
以上のように本発明の請求項１に記載の発明によれば、ヒータによって加熱されるベースと、前記ヒータへの通電を制御して前記ベースを任意の温度に調節するサーモスタットと、前記サーモスタットによって調節されるベースの温度を設定する温度調節ツマミ装置とを具備し、前記温度調節ツマミ装置は、前記サーモスタットの軸部を回動させる回動部と、前記回動部の外周部に回動自在に設けた操作部と、前記操作部を前記回動部から離れる方向へ付勢する付勢体と、前記操作部を前記回動部側へ変位させることにより前記操作部を前記回動部に連係させ、前記操作部の動作を前記回動部に伝達するクラッチ装置を有したから、温度調節を容易に、かつ、的確に行なうことができるとともに、アイロン掛け作業中に設定温度が不用意に変わるのを防止することができる。
【００３５】
また、請求項２に記載の発明によれば、クラッチ装置は、回動部と操作部の両方の外周部に対向して設けた凹凸形状の係合部により構成したから、操作部の動作を確実に回動部に伝達して、サーモスタットの軸部を駆動することができる。
【００３６】
また、請求項３に記載の発明によれば、クラッチ装置は、回動部と操作部の両方の外周部に対向して設けた高摩擦抵抗体により構成したから、操作部の動作を確実に回動部に伝達して、サーモスタットの軸部を駆動することができる。
【００３７】
また、請求項４に記載の発明によれば、温度調節ツマミ装置は、クリック部と前記クリック部に対向して配設したバネ体を有し、操作部を回動部に連係させて回動操作したときに、前記クリック部とバネ体が接触するようにしたから、操作時に温度設定が行われていることを容易に確認することができるとともに、任意の温度に保持することができる。
【００３８】
また、請求項５に記載の発明によれば、温度調節ツマミ装置は、操作部の上方に表示体を設け、前記表示体を回動部とともに回動するように前記回動部に連係させたから、設定温度の確認を容易に行うことができるとともに、所望の温度に確実に調節することができる。
【００３９】
また、請求項６に記載の発明によれば、温度調節ツマミ装置は、操作部をその下方に配設した回動部側へ変位させることにより、クラッチ装置を介して回動部と連係させるようにしたから、温度設定時の操作性をよくすることができる。
【００４０】
また、請求項７に記載の発明によれば、温度調節ツマミ装置は、操作部の外周縁部の上面を外方へ広がるにつれて低くなるように傾斜させたから、温度設定時の操作性をよくすることができる。
【００４１】
また、請求項８に記載の発明によれば、温度調節ツマミ装置は、回動部の上面に表示部を設けるとともに操作部を透明体で構成し、前記操作部を透かして外部から前記表示部を視認可能に構成したから、設定温度の確認を容易に行うことができるとともに、所望の温度に確実に調節することができる。
【００４２】
また、請求項９に記載の発明によれば、温度調節ツマミ装置は、操作部をその上方に配設した回動部側へ変位させることにより、クラッチ装置を介して回動部と連係させるようにしたから、アイロン掛け作業中に設定温度が不用意に変わるのを防止することができる。
【００４３】
また、請求項１０に記載の発明によれば、温度調節ツマミ装置は、操作部の外周縁部の下面を外方へ広がるにつれて高くなるように傾斜させたから、温度設定時の操作性をよくすることができる。
【図面の簡単な説明】
【図１】本発明の実施例１のアイロンの要部を断面で示した側面図
【図２】同アイロンの上面図
【図３】同アイロンの要部断面図
【図４】図３のＡ矢視図
【図５】本発明の実施例２のアイロンの要部断面図
【図６】本発明の実施例３のアイロンの要部断面図
【図７】本発明の実施例４のアイロンの要部断面図
【図８】図７のＢ矢視図
【図９】従来のアイロンの要部を断面で示した側面図
【符号の説明】
１０  ベース
１１  ヒータ
１２  サーモスタット
１６  温度調節ツマミ装置
１８  回動部
１９  操作部
２０  付勢体
２１  クラッチ装置
【図１】
0003945272.tif 000002
【図２】
0003945272.tif 000003
【図３】
0003945272.tif 000004
【図４】
0003945272.tif 000005
【図５】
0003945272.tif 000006
【図６】
0003945272.tif 000007
【図７】
0003945272.tif 000008
【図８】
0003945272.tif 000009
【図９】
0003945272.tif 000010